(57)【要約】  音声認識に基づくテキスト入力システムおよび方法が提供される。システムは、テキストの一部、つまり部分的なテキストを受信するための入力ユニットと、音声による部分的なテキストのテキスト全体を受信するための音声入力ユニットと、音声入力ユニットを介して入力された音声を分析し、音声分析情報と共に、音声入力ユニットを介して入力された部分的なテキストを送信するための音声認識前処理ユニットと、音声認識前処理ユニットから送信された部分的なテキストを用いて認識候補のリストを生成し、音声認識を実行し、認識候補の中から１つのテキストを選択するための音声認識ユニットと、最終的に音声認識されたテキストを出力するための出力ユニットとを含む。
2009515227.tif 000002
【特許請求の範囲】
【請求項１】
音声認識に基づくテキスト入力システムであって、
テキストの一部、つまり部分的なテキストを受信するための入力手段と、
音声による前記部分的なテキストのテキスト全体を受信するための音声入力手段と、
前記音声入力手段を介して入力された音声を分析し、音声分析情報と共に、前記音声入力手段を介して入力された部分的なテキストを送信するための音声認識前処理手段と、
前記音声認識前処理手段から送信された前記部分的なテキストを用いて認識候補のリストを生成し、音声認識を実行し、前記認識候補の中から１つのテキストを選択するための音声認識手段と、
最終的に音声認識されたテキストを出力するための出力手段と
を備えることを特徴とするシステム。
【請求項２】
前記出力手段が、前記認識候補リストをさらに出力することを特徴とする請求項１に記載のシステム。
【請求項３】
前記出力手段が、前記認識候補リストに含まれている複数の認識候補を、各認識値に従って順に出力することを特徴とする請求項２に記載のシステム。
【請求項４】
前記音声認識前処理手段が、前記音声入力手段を介して入力された音声の開始点、終了点及び特徴を抽出し、前記抽出した点および特徴を前記音声認識手段に送信することを特徴とする請求項１に記載のシステム。
【請求項５】
前記テキストが、単語および文章を含むことを特徴とする請求項４に記載のシステム。
【請求項６】
テキスト入力システムにおける音声認識に基づくテキスト入力方法であって、
ａ）テキストの一部、つまり部分的なテキストを受信するステップと、
ｂ）音声による前記部分的なテキストのテキスト全体を受信するステップと、
ｃ）音声認識のために、前記入力された音声データを分析するステップと、
ｄ）前記入力された部分的なテキストを用いて認識候補のリストを生成するステップと、
ｅ）音声認識を実行して、認識候補のうちの中からテキストを選択するステップと、
ｆ）前記最終的に音声認識されたテキストを出力するステップと
を備えたことを特徴とする方法。
【請求項７】
前記ステップｆ）において前記認識候補リストが前記音声認識されたテキストと共に出力されることを特徴とする請求項６に記載の方法。
【請求項８】
前記ステップｆ）において、前記認識候補リストに含まれている前記認識候補が、各認識値に従って順に出力されることを特徴とする請求項７に記載の方法。
【請求項９】
前記ステップｃ）において、前記音声の開始点、終了点及び特徴が抽出されることを特徴とする請求項６に記載の方法。
【請求項１０】
前記テキストが、単語および文章を含むことを特徴とする請求項９に記載の方法。
【発明の詳細な説明】
【技術分野】
【０００１】
本発明は、音声認識に基づくテキスト入力システム及び方法に関し、より詳しくは、キーボード、マウス、ペンなどのような一般的な入力デバイスを通してテキストの一部、例えば単語の各音節の最初の音を受信し、対応する音声を認識し、音声によりユーザにより意図されたテキスト全体を完成させることにより、単語および文章を含む入力テキストを便利に入力できる音声認識に基づくテキスト入力システム及び方法に関する。
【背景技術】
【０００２】
本発明において、端末とは、無線通信端末、パーソナルコンピュータ（ＰＣ）、ラップトップコンピュータなどの、入力／出力機能を有する様々な情報デバイスを意味する。
【０００３】
無線通信端末とは、モバイル通信端末、ＰＣＳ（Personal Communication Services）、ＰＤＡ（Personal Digital Assistants）、スマートフォン、ＩＭＴ−２０００（International Mobile Telecommunication 2000）、無線ＬＡＮ(Local Area Network)端末などの、個人が携帯し、無線通信を行なえる端末を意味する。
【０００４】
多くの入力システムが、ユーザの一部の不便を減らすために開発されてきている。入力システムの例は、キーボード、マウスおよび一般的に使用される筆記体認識技術を用いるペンを含む。ところが、この入力デバイスは、いくつかの情報デバイスを拡張された携帯性に適用できず、障害者にとってこのデバイスを使用するのは快適でない。
【０００５】
一方、多くの研究者が音声認識に基づく入力システムを開発するために研究している。しかし、入力システムは、低い音声認識率のために、いまだ独立して使用されている。
以下、音声認識を用いた従来の入力システムについて具体的に説明する。
【０００６】
２００５年０１月１５日に公開された、特許文献１は、音声認識機能を用いてテキスト入力が可能なモバイル通信端末及び方法を開示する。特許文献１は、音声認識ユニットを介して音声を認識することにより移動体通信端末にテキストを入力し、音声情報管理データベースで音声情報に対応するテキスト情報を検索し、テキスト情報が存在するとき、このテキスト情報を入力された情報として処理するための音声認識を解してモバイル通信端末にテキストを入力するための技術である。
【０００７】
すなわち、特許文献１は、音声認識が可能なモバイル通信端末において、ユーザから音声を受信し、音声を音声データおよび音声情報に順に変換し、音声情報に対応するテキスト情報を音声情報管理データベースで検索し、テキスト情報が存在するとき、テキスト情報を入力された情報として処理することにより、小型キーパッドなしでテキストを入力することを可能とする。
【０００８】
この特許文献１において、モバイル通信端末は、追加のデータベースで音声情報に対応するテキスト情報を検索するので、特許文献１が入力後のみで使用でき、長い文章には適用するのは難しくなりがちであって。また、自然な言語に対する音声認識率はあまりにも低かった。
【０００９】
２００４年０６月１８日に公開された特許文献２は、単語の第１子音の発声を用いた音声認識方法及びこれを格納するメディアを開示する。特許文献２は、単語の第１子音を認識し、音声による認識される対象語彙の範囲を減らし、単語全体を認識することにより、テキストを入力する技術である。
【００１０】
すなわち、単語の第１子音を認識することにより音声認識対象語彙が顕著に減り、つまり第１子音の数に反比例して、平均１／１９程度減る。２つの同じ音素が韓国のアルファベットの子音の発音が存在し、子音の音声認識に有利となる。
【００１１】
しかし、特許文献２は、発生の動作を２度必要とする。単語の第１子音の認識を介して音声認識対象語彙は選択されるので、特許文献２は、文章への適用には適さない。
【００１２】
一方、「ＰＣと互換性を有する回転式テキスト入力デバイス」が、非特許文献１において提案される。非特許文献１によれば、マウス（１５×８）と同じくらい小さいテキスト入力デバイスを、従来のキーボードにより収容されている全ての機能のキーを有するように構成する。非特許文献１は、時計回り及び反時計回りに３６０°でジョグスイッチ回転させることによりテキストを選択し、テキストが選定されるとき、テキスト入力キーを押すことによりテキストを入力する。したがって非特許文献１は、キーボードと互換性のあるポータブルなテキスト入力デバイスを提供し、文章を入力できる。
【００１３】
非特許文献１に提案された技術において、従来型のテキスト入力方式とテキスト回転方式を共に用いてテキストを入力する。しかしキー操作の困難なユーザには、キー入力方法が便利ではないという問題がある。
【００１４】
【特許文献１】大韓民国特許公開番号１０−２００５−０００５８１９
【特許文献２】大韓民国特許公開番号１０−２００４−００５１３１７
【非特許文献１】韓国電子工学会の第３８巻、第３号、ｐｐ．７８−８３
【発明の開示】
【発明が解決しようとする課題】
【００１５】
したがって、本発明の目的は、キーボード、マウス、ペンなどの一般的な入力デバイスを介して、テキストの一部、例えば単語の各音節の最初の音を受信することにより、単語及び文章を含むテキストを便利に入力できる音声認識を採用するテキスト入力システム及び方法を提供する。
【００１６】
すなわち、本発明は、一般的な入力デバイス及び音声認識装置を同時に用いることによりキーボード、マウス及びペンで単語及び文章を含むテキスト全体を個別に入力することなく、発声の動作を介して所望のテキストを入力することができる音声認識に基づくテキスト入力システム及び方法を提供し、単にテキストの一部を入力することにより音声認識率を高める。
【００１７】
本発明の他の目的及び利点は、以下の説明によって理解することができ、本発明による実施形態からより明確となるであろう。本発明の目的及び利点は、特許請求の範囲に定義される手段及びその組み合わせによって実現できることもまた明らかである。
【課題を解決するための手段】
【００１８】
本発明の一態様によれば、キストの一部、つまり部分的なテキストを受信するための入力ユニットと、音声による部分的なテキストのテキスト全体を受信するための音声入力ユニットと、音声入力手段を介して入力された音声を分析し、音声分析情報と共に、入力手段を介して入力された部分的なテキストを送信するための音声認識前処理ユニットと、音声認識前処理手段から送信された部分的なテキストを用いて認識候補リストを生成し、音声認識を実行し、認識候補の中から１つのテキストを選択するための音声認識ユニットと、最終的に音声認識されたテキストを出力するための出力ユニットと含む音声認識に基づくテキスト入力システムが提供される。
【００１９】
本発明の別の態様によれば、ａ）テキストの一部、つまり部分的なテキストを受信するステップと、ｂ）音声による前記部分的なテキストのテキスト全体を分析するステップと、ｃ）音声認識のために、前記入力された音声を分析するステップと、ｄ）前記入力された部分的なテキストを用いて認識候補リストを生成するステップと、ｅ）音声認識を実行して、認識候補のうちの１つのテキストを選択するステップと、ｆ）前記最終的に音声認識されたテキストを出力するステップとを含む、テキスト入力システムにおける音声認識に基づくテキスト入力方法が提供される。
【発明の効果】
【００２０】
一般的な入力デバイス、例えばキーボードを介する部分的なテキスト入力と、本発明の音声認識とを用いてテキスト全体が入力されるので、音声認識率は、音声認識に基づく従来の入力システムに比べて、音声認識率が上がり、キー操作の回数は減る。したがって本発明は、テキストを便利に入力することを可能とする。
【００２１】
本発明の上述及び他の目的及び特徴は、添付の図面と合わせて与える好適な実施形態の以下の説明から明らかになる。
【発明を実施するための最良の形態】
【００２２】
本発明の他の目的及び利点は、添付の図面を参照して以下の実施形態の説明から明確となるであろう。したがって、本発明が含まれる分野の当業者は、本発明の技術的思想及び範囲を簡単に埋め込むことができる。さらに、従来技術の詳細な説明が、本発明の要旨を不明瞭にする可能性があると判断される場合、その詳細な説明をここでは提供しない。本発明の好適な実施形態を、添付する図面を参照して以下で詳細に説明する。
【００２３】
図１は、本発明の実施形態による音声認識に基づくテキスト入力システムを示している。
【００２４】
本発明の音声認識に基づくテキスト入力システムは、部分的なテキスト、例えば単語の各音節の最初の音を受信する入力ユニット１０と、ユーザの音声を受信する音声入力ユニット２０と、音声認識前処理ユニット３０と、音声認識ユニット４０と、多様なスクリーンを表示するディスプレイユニット５０とを含む。
【００２５】
音声認識前処理ユニット３０は、音声認識に必要な音声の開始点、終了点及び特徴を抽出し、この入力ユニット１０を介して入力された部分的なテキストと共に抽出された点及び特徴を音声認識ユニット４０に送信する。
【００２６】
音声認識ユニット４０は、音声認識前処理ユニット３０から送信された部分的なテキストに基づいて１以上の認識候補リストを生成し、音声認識過程を実行し、認識候補の中から最も高い認識値を有する単語及び文章を含むテキストを選択し、ディスプレイユニット５０を介してテキストを出力する。音声認識ユニット４０は、認識候補の中から最も高い認識値を有するテキストと同様に、ディスプレイユニット５０を介して認識候補リストを出力できる。
【００２７】
2009515227.tif 000003
【００２８】
音声入力ユニット２０は、マイクロフォンを介してユーザの音声を受信し、音声入力ユニット２０は、声の形でユーザにより話された単語又は文章を含むテキスト全を受信する。
【００２９】
音声認識前処理ユニット３０は、入力ユニット１０を介してテキストの一部、つまり部分的なテキストを受信し、認識候補リストの生成のために、音声認識ユニット４０に部分的なテキストを送信する。続いて、音声認識前処理ユニット３０は、音声入力ユニット２０を介してテキスト全体のユーザの音声を受信し、音声の開始点、終了点及び特徴を抽出し、音声認識のために音声認識ユニット４０に抽出した音声の開始点、終了点及び特徴を送信する。すなわち、音声認識前処理ユニット３０は、ユーザ音声を分析し、音声分析結果を音声認識ユニット４０に送信する。
【００３０】
音声認識ユニット４０は、音声認識前処理ユニット３０から部分的なテキストを受信し、１以上の認識候補を選択し、認識候補リストを生成する。また、音声認識ユニット４０は、テキスト全体についての音声分析情報、例えば音声の開始点、終了点及び特徴を続いて受信し、音声を認識し、この生成された認識候補リストにおいて認識値の最も高いテキストを選択する。
【００３１】
音声認識ユニット４０は、無線通信端末、ＰＣおよびラップトップコンピュータなどの本発明におけるテキスト入力システムを適用する端末の性能に基づいて、他の構成要素でデータをリモート送信／受信できる。例えば、音声認識ユニット４０は、インターネットを介して他の構成要素と接続することができる。
【００３２】
ディスプレイユニット５０は、この音声認識ユニット４０により最終的に音声認識されたテキスト、つまり１以上の認識候補の中で最も高い認識値を有するテキストと、認識候補リストとを画面を介してユーザに出力する。ディスプレイユニット５０は、ＬＣＤ（liquid crystal display）などの一般的なディスプレイ装置を指定する。
【００３３】
図２は、本発明の実施形態によるテキスト入力システムにおける音声認識に基づくテキスト入力方法を説明するフローチャートである。
【００３４】
2009515227.tif 000004
【００３５】
音声入力ユニット２０は、ステップＳ２０２で、音声による部分的に送信された単語のテキストの全体を受信する。
【００３６】
音声認識前処理ユニット３０は、ステップＳ２０３で、音声入力ユニット２０を介して送信された音声を分析し、ステップＳ２０４で、入力ユニット１０を介して送信された部分的なテキストと共に、音声の開始点、終了点及び特徴を含む音声分析情報を、音声認識ユニット４０に送信する。
【００３７】
音声認識ユニット４０は、ステップＳ２０５で、音声認識前処理ユニット３０から送信された部分的なテキストを用いて認識候補リストを生成する。すなわち、音声認識ユニット４０は、単語又は文章を含む１以上の認識候補テキストを選択する。続いて、音声認識ユニット４０は、ステップＳ２０６において、送信された音声分析情報に基づいて音声を認識する。すなわち、テキストは、生成した認識候補リストに含まれる１以上の認識候補の中から最終的に選択される。
【００３８】
ディスプレイユニット５０は、ステップＳ２０７で、認識候補リストと共に、音声認識ユニット４０において音声により最終的に認識されたテキストを同時に出力する。
【００３９】
図３は、本発明の実施形態によるテキスト入力システムを採用するウェブページにおけるテキスト入力処理を示している。
【００４０】
本発明のテキスト入力システムは、ユーザ端末及び列車チケットの予約サービスシステムなどのウェブサービスシステムに適用され、ウェブページを介してユーザから部分的なテキストを受信し、ウェブページを介して音声により最終的に認識されたテキスト全体を出力できる。テキスト入力システムの音声認識ユニット４０は、ユーザ端末ではなく、他の構成要素から離れたウェブサービスシステムに存在する。
【００４１】
2009515227.tif 000005
【００４２】
2009515227.tif 000006
【００４３】
図４は、本発明の実施形態によるテキスト入力システムにおいて、単語及び文章の部分的な入力を示している。
【００４４】
2009515227.tif 000007
【００４５】
例２を参照して、ユーザが英語の単語の「ｓｃｈｏｏｌ」を入力するとき「ｓ」、「ｓｃ」、「ｓｃｈ」および「ｓｃｈｏ」などの部分的なテキストを入力できる。
【００４６】
2009515227.tif 000008
【００４７】
本発明は、部分的なテキストおよび認識のための音声データを同時に入力することにより、従来型の音声認識入力システムと比較して音声認識率を高め、テキストがキーのみで入力される一般的な入力デバイスより、より便利にテキストを入力できる。
【００４８】
例えば、一般的な入力デバイスの中からキーボードで
【００４９】
2009515227.tif 000009
【００５０】
が入力されるとき、最大で１７回のキー入力を必要とする。しかし本発明のテキスト入力システムは、文章を入力するのに７回のキー入力および１回の発音の動作のみを必要とする。特に、障害者は便利にこのテキスト入力システムを使用できる。
【００５１】
詳細に説明してきたように、本発明は、プログラムとして組み込むことができ、ＣＤ−ＲＯＭ、ＲＡＭ、ＲＯＭ、フロッピー（登録商標）ディスク、ハードディスク、光磁気ディスクなどのコンピュータで読取可能な記録媒体に格納できる。この処理は、当業者により用意に実装でき、更なる詳細はここでは提供しない。
【００５２】
本発明は、１１月７日に大韓民国特許庁に出願された大韓民国特許出願番号２００５−０１０６０４４に関連する主題を含む。
【００５３】
本発明はある好適な実施形態に関して説明されてきたが、添付の特許請求の範囲に定義される本発明の範囲から逸脱することなく、様々な変更および修正がなされうることは当業者にとって明らかである。
【図面の簡単な説明】
【００５４】
【図１】本発明の実施形態による音声認識に基づくテキスト入力システムを示すブロック図である。
【図２】本発明の実施形態によるテキスト入力システムにおける音声認識に基づくテキスト入力方法を説明するフローチャートである。
【図３】本発明の実施形態によるテキスト入力システムを採用するウェブページにおけるテキスト入力処理を示している図である。
【図４】本発明の実施形態によるテキスト入力システムにおける単語及び文章の部分入力例を示している図である。
【図１】
2009515227.tif 000010
【図２】
2009515227.tif 000011
【図３】
2009515227.tif 000012
【図４】
2009515227.tif 000013
【国際調査報告】
2009515227.tif 000014
2009515227.tif 000015